(57)【要約】【課題】障子を開いた際に有効開口を大きく確保することが可能な辷り出し窓等を提供する。【解決手段】開口を閉塞可能な障子と、見付け方向に沿って設けられたスライドレールに案内されてスライド可能な第１スライダー及び第２スライダーと、前記障子、前記第１スライダー、及び、前記第２スライダーを連結し、前記第１スライダーと前記第２スライダーとが離れた状態で、前記開口を前記障子が閉塞し、前記第１スライダーと前記第２スライダーとが互いに近づく方向にスライドしつつ前記障子の戸先側を見込み方向に移動させて前記障子を開くリンク機構と、を備え、前記障子の開き始めには、前記第１スライダーがスライドして前記第２スライダーが停止しており、前記障子の開き終わりには、前記第２スライダーがスライドして前記第１スライダーが停止している。【選択図】図２
2010209587.tif 000002
【特許請求の範囲】
【請求項１】
開口を形成する枠体に、当該開口を閉塞可能な障子を備え、
見付け方向に沿って設けられたスライドレールに案内されてスライド可能な第１スライダー及び第２スライダーと、
前記障子、前記第１スライダー、及び、前記第２スライダーを連結し、
前記第１スライダーと前記第２スライダーとが離れた状態で、前記開口を前記障子が閉塞し、
前記第１スライダーと前記第２スライダーとが互いに近づく方向にスライドしつつ前記障子の戸先側を見込み方向に移動させて前記障子を開くリンク機構と、
を備え、
前記障子の開き始めには、前記第１スライダーがスライドして前記第２スライダーが停止しており、前記障子の開き終わりには、前記第２スライダーがスライドして前記第１スライダーが停止していることを特徴とする辷り出し窓。
【請求項２】
請求項１に記載の辷り出し窓であって、
前記リンク機構は、前記第１スライダーに一方の端部が回動自在に連結された第１リンク、及び、前記第２スライダーに一方の端部が回動自在に連結された第２リンクを有し、
前記第１リンクの他方の端部が前記障子の吊り元側に回動自在に連結され、前記第２リンクの他方の端部が、前記第１リンクの前記他方の端部より前記障子の戸先側にて回動自在に連結されていることを特徴とする辷り出し窓。
【請求項３】
請求項１または請求項２に記載の辷り出し窓であって、
前記第１スライダーの前記第２スライダー側へのスライドを所定の位置にて規制する規制部と、
前記障子が閉じた時の位置にて前記第２スライダーと係合し、前記第１スライダーが前記所定の位置にスライドした際に係合が解除される係合機構と、
を有することを特徴とする辷り出し窓。
【請求項４】
請求項３に記載の辷り出し窓であって、
前記第１スライダーが前記所定の位置に到達した後、さらに前記第１スライダーと前記第２スライダーとが近接する方向にスライドする際に、前記第１スライダーを前記所定の位置に保持するための保持機構を有することを特徴とする辷り出し窓。
【請求項５】
請求項４のいずれかに記載の辷り出し窓であって、
前記保持機構は、前記障子を閉める際に、当該障子の移動と連動して保持状態が解除され前記第１スライダーのスライドが許容されることを特徴とする辷り出し窓。
【請求項６】
請求項１乃至請求項５のいずれかに記載の辷り出し窓であって、
前記所定の位置は、前記障子を開く際に、当該障子が他の部材と干渉しない位置であることを特徴とする辷り出し窓。
【請求項７】
開口を形成する枠体に取付けられるスライドレールと、
障子に取付けられる固定プレートと、
前記スライドレールに案内されてスライド可能な第１スライダー及び第２スライダーと、
一方の端部が前記第１スライダーに回動自在に連結され、他方の端部が前記固定プレートの一方の端部に回動自在に連結された第１リンクと、
一方の端部が前記第２スライダーに回動自在に連結され、他方の端部が前記固定プレートの一方の端部と他方の端部との間に回動自在に連結された第２リンクと、
一方の端部が前記第１リンクと共に前記第１スライダーに回動自在に連結され、他方の端部が前記第２リンクの一方の端部と他方の端部との間に回動自在に連結された連結リンクと、を備えた辷り出し窓用ステーであって、
前記第１スライダーと前記第２スライダーとが離れた状態で、前記開口を前記障子が閉塞し、
前記第１スライダーと前記第２スライダーとが互いに近づく方向にスライドしつつ前記障子の戸先側を見込み方向に移動させて前記開口を開放し、
前記障子の開き始めには、前記第１スライダーがスライドして前記第２スライダーが停止しており、前記障子の開き終わりには、前記第２スライダーがスライドして前記第１スライダーが停止していることを特徴とする辷り出し窓用ステー。
【請求項８】
請求項７に記載の辷り出し窓用ステーであって、
前記第１スライダーの前記第２スライダー側へのスライドを所定の位置にて規制する規制部と、
前記障子が閉じた時の位置にて前記第２スライダーと係合し、前記第１スライダーが前記所定の位置にスライドした際に係合が解除される係合機構と、
前記第１スライダーが前記所定の位置に到達した後、さらに前記第１スライダーと前記第２スライダーとが近接する方向にスライドする際に、前記第１スライダーを前記所定の位置に保持するための保持機構と、
を備え、
前記保持機構は、前記障子を閉める際に、当該障子の移動と連動して保持状態が解除され前記第１スライダーのスライドが許容されることを特徴とする辷り出し窓用ステー。
【発明の詳細な説明】
【技術分野】
【０００１】
本発明は、辷り出し窓、及び、辷り出し窓用ステーに関する。
【背景技術】
【０００２】
辷り出し窓としては、例えば、開口を開閉自在に設けられた障子を見込み方向に押し出して開く際に、障子の吊り元側が開口の中央側にスライドされつつ、戸先側が見込み方向に移動して、障子が開かれる辷り出し窓、及び、辷り出し窓用ステーが知られている。
【発明の概要】
【発明が解決しようとする課題】
【０００３】
上記のような辷り出し窓、及び、辷り出し窓用ステーは、障子を開く際に、障子の吊り元側が開口の中央側にスライドするので、障子を完全に開いたとしても障子が開口の中央側に位置することになり有効開口が狭められてしまう。  
また、有効開口を広く確保しようとして障子の吊り元側のスライド量を小さくすると、障子を開く際に開口の周囲に設けられている部材と干渉してしまう虞があるという課題がある。  
本発明は、かかる課題に鑑みてなされたものであり、その目的とするところは、障子を開いた際に有効開口を大きく確保することが可能な辷り出し窓、及び、辷り出し窓用ステーを提供することにある。
【課題を解決するための手段】
【０００４】
かかる目的を達成するために本発明の辷り出し窓は、開口を閉塞可能な障子と、見付け方向に沿って設けられたスライドレールに案内されてスライド可能な第１スライダー及び第２スライダーと、前記障子、前記第１スライダー、及び、前記第２スライダーを連結し、前記第１スライダーと前記第２スライダーとが離れた状態で、前記開口を前記障子が閉塞し、前記第１スライダーと前記第２スライダーとが互いに近づく方向にスライドしつつ前記障子の戸先側を見込み方向に移動させて前記障子を開くリンク機構と、を備え、前記障子の開き始めには、前記第１スライダーがスライドして前記第２スライダーが停止しており、前記障子の開き終わりには、前記第２スライダーがスライドして前記第１スライダーが停止していることを特徴とする辷り出し窓である。  
このような辷り出し窓によれば、障子が開き始める際には、障子の吊り元側に第１リンクを介して回動自在に連結された第１スライダーがスライドして、第２スライダーは停止し、障子の開き終わりには、第２スライダーがスライドして第１スライダーが停止しているので、障子を開く際には第１スライダーと第２スライダーとのいずれもがスライドする。このため、吊り元側だけにスライダーが設けられて吊り元側だけが開口の中央側にスライドしつつ回動することにより障子が開かれる辷り出し窓より、吊り元側に配置された第１スライダーまたは第２スライダーのスライド量が小さくなるので、有効開口をより広く確保することが可能である。
【０００５】
かかる辷り出し窓であって、前記リンク機構は、前記第１スライダーに一方の端部が回動自在に連結された第１リンク、及び、前記第２スライダーに一方の端部が回動自在に連結された第２リンクを有し、前記第１リンクの他方の端部が前記障子の吊り元側に回動自在に連結され、前記第２リンクの他方の端部が、前記第１リンクの前記他方の端部より前記障子の戸先側にて回動自在に連結されていることが望ましい。  
このような辷り出し窓によれば、障子の吊り元側が第１リンクの他方の端部に連結されているので、第１リンクが連結されている第１スライダーがスライドすることにより障子の吊り元側の位置を移動させることが可能である。また、障子において第１リンクと連結された第１リンクより戸先側で第２リンクが連結されているので、第２リンクが連結されている第２スライダーがスライドすることにより障子の戸先側を見込み方向に移動させることが可能である。
【０００６】
かかる辷り出し窓であって、前記第１スライダーの前記第２スライダー側へのスライドを所定の位置にて規制する規制部と、前記障子が閉じた時の位置にて前記第２スライダーと係合し、前記第１スライダーが前記所定の位置にスライドした際に係合が解除される係合機構と、を有することが望ましい。  
このような辷り出し窓によれば、第１スライダーの第２スライダー側へのスライドを所定の位置にて規制する規制部を有しているので、第１スライダーが所定の位置より第２スライダー側へスライドすることを規制して有効開口を大きく確保することが可能である。また、障子が閉じた時の位置にて第２スライダーと係合し、第１スライダーが所定の位置にスライドした際に係合が解除される係合機構を有しているので、障子が閉じた状態では第２スライダーがスライドしないように保持し、第１スライダーが所定の位置にスライドした時に係合が解除されて、その後第２スライダーをのみスライドさせることが可能である。このため、障子の開き始めに第１スライダーのみをスライドさせることが可能であり、第１スライダーが所定の位置にスライドした後に第２スライダーをスライドさせることが可能である。
【０００７】
かかる辷り出し窓であって、前記第１スライダーが前記所定の位置に到達した後、さらに前記第１スライダーと前記第２スライダーとが近接する方向にスライドする際に、前記第１スライダーを前記所定の位置に保持するための保持機構を有することが望ましい。  
このような辷り出し窓によれば、所定の位置にスライドした第１スライダーと第２スライダーとが近接する方向にスライドする際には第１スライダーは保持機構により所定の位置に保持されるので、第１スライダーが所定の位置にスライドした後には、確実に第２スライダーだけをスライドさせることが可能である。このため、第２スライダーがスライドすることにより有効開口が狭められることを防止することが可能である。
【０００８】
かかる辷り出し窓であって、前記保持機構は、前記障子を閉める際に、当該障子の移動と連動して保持状態が解除され、前記第１スライダーのスライドが許容されることが望ましい。  
このような辷り出し窓によれば、障子が閉まる動作と連動して保持機構による第１スライダーへの規制が解除されるので、障子を滑らかに閉じることが可能である。
【０００９】
かかる辷り出し窓であって、前記所定の位置は、前記障子を開く際に、当該障子が他の部材と干渉しない位置であることが望ましい。  
このような辷り出し窓によれば、障子の開き始めには、障子の吊り元側に第１リンクを介して回動自在に連結された第１スライダーが、障子が他の部材と干渉しない所定の位置に移動し、その後第１スライダーが停止した状態で第２スライダーがスライドして障子が開かれるので、障子を開く際に障子が周囲の部材と干渉することを防止しつつ有効開口を大きく確保することが可能である。
【００１０】
また、開口を形成する枠体に取付けられるスライドレールと、障子に取付けられる固定プレートと、前記スライドレールに案内されてスライド可能な第１スライダー及び第２スライダーと、一方の端部が前記第１スライダーに回動自在に連結され、他方の端部が前記固定プレートの一方の端部に回動自在に連結された第１リンクと、一方の端部が前記第２スライダーに回動自在に連結され、他方の端部が前記固定プレートの一方の端部と他方の端部との間に回動自在に連結された第２リンクと、一方の端部が前記第１リンクと共に前記第１スライダーに回動自在に連結され、他方の端部が前記第２リンクの一方の端部と他方の端部との間に回動自在に連結された連結リンクと、を備えた辷り出し窓用ステーであって、前記第１スライダーと前記第２スライダーとが離れた状態で、前記開口を前記障子が閉塞し、前記第１スライダーと前記第２スライダーとが互いに近づく方向にスライドしつつ前記障子の戸先側を見込み方向に移動させて前記開口を開放し、前記障子の開き始めには、前記第１スライダーがスライドして前記第２スライダーが停止しており、前記障子の開き終わりには、前記第２スライダーがスライドして前記第１スライダーが停止していることを特徴とする辷り出し窓用ステーである。
【００１１】
このような辷り出し窓用ステーによれば、固定プレートが取り付けられる障子が開き始める際には、障子の吊り元側に第１リンクを介して回動自在に連結された第１スライダーがスライドして、第２スライダーは停止し、障子の開き終わりには、第２スライダーがスライドして第１スライダーが停止しているので、障子を開く際には第１スライダーと第２スライダーとのいずれもがスライドする。このため、吊り元側だけにスライダーが設けられて吊り元側だけが開口の中央側にスライドしつつ回動することにより障子が開かれる辷り出し窓用ステーより、吊り元側に配置される第１スライダーのスライド量が小さな辷り出し窓用ステーを構成することが可能である。このため上記辷り出し窓用ステーを用いることにより、辷り出し窓の有効開口をより広く確保することが可能である。
【００１２】
かかる辷り出し窓用ステーであって、前記第１スライダーの前記第２スライダー側へのスライドを所定の位置にて規制する規制部と、前記障子が閉じた時の位置にて前記第２スライダーと係合し、前記第１スライダーが前記所定の位置にスライドした際に係合が解除される係合機構と、前記第１スライダーが前記所定の位置に到達した後、さらに前記第１スライダーと前記第２スライダーとが近接する方向にスライドする際に、前記第１スライダーを前記所定の位置に保持するための保持機構と、を備え、前記保持機構は、前記障子を閉める際に、当該障子の移動と連動して保持状態が解除され前記第１スライダーのスライドが許容されることが望ましい。  
このような辷り出し窓用ステーによれば、第１スライダーの第２スライダー側へのスライドを所定の位置にて規制する規制部を有しているので、第１スライダーが所定の位置より第２スライダー側へスライドすることを規制して有効開口を大きく確保することが可能である。そして、所定の位置にスライドした第１スライダーと第２スライダーとが近接する方向にスライドする際には第１スライダーは保持機構により所定の位置に保持されるので、第１スライダーが所定の位置にスライドした後には、確実に第２スライダーだけをスライドさせることが可能である。
【００１３】
また、障子が閉じた時の位置にて第２スライダーと係合し、第１スライダーが所定の位置にスライドした際に係合が解除される係合機構を有しているので、障子が閉じた状態では第２スライダーがスライドしないように保持し、第１スライダーが所定の位置にスライドした時に係合が解除されて、その後第２スライダーをのみスライドさせることが可能である。このとき、障子が閉まる動作と連動して保持機構による第１スライダーへの規制が解除されるので、障子を滑らかに閉じることが可能である。
【００１４】
上記辷り出し窓用ステーを用いることにより、障子の開き始めに第１スライダーのみをスライドさせ、第１スライダーが所定の位置にスライドした後に第２スライダーをスライドさせて確実に有効開口を大きく確保することが可能な辷り出し窓を実現することが可能である。
【発明の効果】
【００１５】
本発明によれば、障子を開いた際に有効開口を大きく確保することが可能な辷り出し窓、及び、辷り出し窓用ステーを提供することが可能である。
【図面の簡単な説明】
【００１６】
【図１】本実施形態に係る辷り出し窓の水平断面図である。
【図２】開閉機構を説明するための平面図ある。
【図３】開閉機構を図１におけるＡから見た図である。
【図４】本実施形態に係る辷り出し窓を開き始めの状態を説明するための図である。
【図５】本実施形態に係る辷り出し窓が完全に開いた状態を説明するための図である。
【発明を実施するための形態】
【００１７】
以下、本発明の一実施形態に係る辷り出し窓、及び、辷り出し窓用ステーについて図面を参照して説明する。
【００１８】
本実施形態の辷り出し窓は、縦枠と横枠とが矩形状に形成された枠体または枠体の上下に設けられた横枠に掛け渡された方立により形成された複数の開口を各々閉塞可能な障子が、見付け方向に並べて設けられて連窓を構成している。
【００１９】
以下の説明では、辷り出し窓１を屋内側から見たときに上下となる方向を上下方向、左右となる方向を左右方向または見付け方向、室内外方向である奥行き方向を見込み方向として示す。また、障子を閉めた状態にて、障子の戸先側が位置する側を戸先側、障子の回動中心となる側を吊り元側として示し、障子が開かれて障子が見付け方向に配置されていない状態であっても、障子を閉めた状態と同様に、見付け方向における一方を戸先側、他方を吊り元側として示す。
【００２０】
本実施形態の辷り出し窓１は、図１に示すように、開口を形成する上下の横枠２及び左右の方立３と、開口を閉塞可能な障子５と、障子５を開閉するための辷り出し窓用ステーとしての開閉機構１０とを有している。
【００２１】
障子５は、四周枠組みされた框体７と、框体７の内周側に端部が収容されて框体７に保持されるガラス６と、戸先框に設けられ障子５を開閉する際に操作者に把持されるハンドル８と、を有している。本実施形態の障子５は、開口を形成する左右の方立３の間に入り込む室内側部位５ａと、室内側部位５ａの室外側に設けられ方立３の室外側まで延出された室外側部位５ｂとが一体に形成されている。このため、連窓を室外側から見た場合には、隣接する障子５同士が僅かに間隔を隔てて配置されているように見える。
【００２２】
開閉機構１０は、上の横枠(不図示)と框体７の上框（不図示）との間、及び、下の横枠２と框体７の下框７ａとの間に１つずつ設けられている。２つの開閉機構１０は、上下が対象となるように構成されているが、その他は同じなので、ここでは、下の横枠（以下、下枠という）２と框体７の下框７ａとの間に設けられた下側の開閉機構１０を例に挙げて説明する。
【００２３】
開閉機構１０は、図２、図３に示すように、下枠２（図１）に見付け方向に沿って設けられたスライドレール１２と、スライドレール１２に案内され見付け方向に沿ってスライド自在に設けられた第１スライダーとしての吊り元側スライダー１４及び第２スライダーとしての戸先側スライダー１６と、障子５、吊り元側スライダー１４及び戸先側スライダー１６を連結するリンク機構１１と、スライドレール１２に設けられ戸先側の端部２６ａが戸先側スライダー１６のストッパーをなす戸先側ストッパー２６と、スライドレール１２に設けられ吊り元側スライダー１４のストッパーをなす吊り元側ストッパー２８と、吊り元側スライダー１４に回動自在に設けられ吊り元側ストッパー２８と係合して吊り元側スライダー１４を吊り元側ストッパー２８と係合した位置に保持する保持部材３０と、スライドレール１２の戸先側の端部１２ｆに固定され後述する戸先リンク２２と解除可能に係合する戸先係合部材３２と、を備えている。ここで、吊り元側スライダー１４と保持部材３０とが、吊り元側スライダー１４を吊り元側ストッパー２８と係合した位置に保持するための保持機構の一例である。
【００２４】
リンク機構１１は、障子５の下框７ａに当該下框７ａの長手方向に沿って固定された固定プレート１８と、一方の端部２０ａ側が吊り元側スライダー１４に回動自在に連結され他方の端部２０ｂ側が障子５に固定された固定プレート１８の吊り元側の端部１８ａに回動自在に連結された第１リンクとしての吊り元リンク２０と、一方の端部２２ａ側が戸先側スライダー１６に回動自在に連結され他方の端部２２ｂ側が固定プレート１８の中央近傍に回動自在に連結された第２リンクとしての戸先リンク２２と、一方の端部２４ａ側が吊り元リンク２０と共に吊り元側スライダー１４に回動自在に連結され他方の端部２４ｂ側が戸先リンク２２に回動自在に連結されて固定プレート１８とほぼ平行をなす連結リンク２４と、を有している。
【００２５】
リンク機構１１は、吊り元側スライダー１４と戸先側スライダー１６とが離れた状態で、開口を障子５が閉塞し、吊り元側スライダー１４と戸先側スライダー１６とが互いに近づく方向にスライドしつつ障子５の戸先側を見込み方向に移動させて障子５を開くように構成されている。
【００２６】
スライドレール１２は、断面が略Ｃ字状の部材であり、開放された部位が上方に向けられて下枠２に固定されている。具体的には、下枠２に当接される下板部１２ａと、下板部１２ａの室内外側の縁から上方に立設された内側壁部１２ｂ及び外側壁部１２ｄと、内側壁部１２ｂ及び外側壁部１２ｄの上縁から互いに対向する側に延出された延出部１２ｃ、１２ｅとを有し、内側壁部１２ｂの延出部１２ｃと外側壁部１２ｄの延出部１２ｅとの間が開放されている。吊り元側スライダー１４と戸先側スライダー１６は、スライドレール１２内に収容されて見付け方向にスライド自在に設けられている。
【００２７】
吊り元側スライダー１４は、平面視が略長方形状の部材であり、長手方向がスライドレール１２の長手方向に沿うように形成されている。吊り元側スライダー１４の屋内外側の端部１４ａは、スライドレール１２の下板部１２ａと内側壁部１２ｂの延出部１２ｃ及び外側壁部１２ｄの延出部１２ｅとの間隔より僅かに薄く形成されている。
【００２８】
吊り元側スライダー１４の屋内外方向における中央部分１４ｂは、屋内外側の端部１４ａより厚くなるように上方に突出され、スライドレール１２に収容された際に、内側壁部１２ｂの延出部１２ｃ及び外側壁部１２ｄの延出部１２ｅの上面より僅かに上方に突出するように形成されている。中央部分１４ｂの、長手方向におけるほぼ中央には、吊り元リンク２０の一方の端部２０ａと連結リンク２４の一方の端部２４ａとが、ピンにて回動自在に連結されており吊り元リンク２０及び連結リンク２４が連結された部位の戸先側には、保持部材３０が回動自在に連結されている。
【００２９】
戸先側スライダー１６も吊り元側スライダー１４と同様に、平面視が略長方形状の部材であり、長手方向がスライドレール１２の長手方向に沿うように形成されている。戸先側スライダー１６の屋内外側の端部１６ａは、スライドレール１２の下板部１２ａと内側壁部１２ｂの延出部１２ｃ及び外側壁部１２ｄの延出部１２ｅとの間隔より僅かに薄く形成されている。
【００３０】
戸先側スライダー１６の屋内外方向における中央部分１６ｂも屋内外側の端部１６ａより厚くなるように上方に突出され、スライドレール１２に収容された際に、内側壁部１２ｂの延出部１２ｃ及び外側壁部１２ｄの延出部１２ｅの上面より僅かに上方に突出するように形成されている。中央部分１６ｂには、戸先リンク２２の一方の端部２２ａがピンにて回動自在に連結されている。
【００３１】
固定プレート１８は、障子５の下框７ａの下面に長手方向に沿って固定される平板状の部材であり、障子５の見付け方向の幅に対し約半分の長さを有し、吊り元側の端部１８ａ側に偏らせて配置されている。固定プレート１８には、吊り元側の端部１８ａに吊り元リンク２０の他方の端部２０ｂがピンにて回動自在に連結されており、障子５に取り付けられた際に、見付け方向において障子５の中央付近となる位置には、戸先リンク２２の他方の端部２２ｂがピンにて回動自在に連結されている。
【００３２】
吊り元リンク２０は、一方の端部２０ａが吊り元側スライダー１４に、他方の端部２０ｂが固定プレート１８の吊り元側の端部１８ａに、それぞれピンにて回動自在に連結される板状の部材であり、補強のために絞り加工が施されている。吊り元リンク２０は、障子５を閉じた際に吊り元側スライダー１４より吊り元側にスライドレール１２に沿って配置され、障子５を開く際には、上方から見て時計回りに回動して他方の端部２０ｂが室外側に移動するように構成されている。
【００３３】
戸先リンク２２は、一方の端部２２ａ側が戸先側スライダー１６に、他方の端部２２ｂが障子５の中央側にて固定プレート１８に、それぞれピンにて回動自在に連結される板状の部材であり、補強のために絞り加工が施されている。戸先リンク２２の一方の端部２２ａ側は、戸先側スライダー１６と連結された部位より先端側に、戸先係合部材３２と係合する切欠部２２ｃが設けられている。
【００３４】
切欠部２２ｃは、戸先リンク２２の回動に伴って戸先係合部材３２と係合されたり係合が解除された状態となる。また、戸先リンク２２の中央より先端側には連結リンク２４の他方の端部２４ｂがピンにて回動自在に連結されている。戸先リンク２２は、障子５を閉じた際に、切欠部２２ｃが戸先係合部材３２の係合片３２ａと係合した状態にてスライドレール１２に沿って配置され、障子５を開く際には、上方から見て時計回りに回動して固定プレート１８に連結された他方の端部２２ｂが室外側に移動するように構成されている。
【００３５】
連結リンク２４は、一方の端部２４ａが吊り元リンク２０の一方の端部２０ａを吊り元側スライダー１４との間に介して、回動自在に連結されており、他方の端部２４ｂが戸先リンク２２と回動自在に連結される板状の部材であり、補強のために絞り加工が施されている。連結リンク２４は、障子５を閉じた際に、他方の端部２４ｂが一方の端部２４ａより戸先側に位置するようにスライドレール１２に沿って配置され、障子５を開く際には、上方から見て反時計回りに回動して戸先リンク２２に連結された他方の端部２４ｂが室外側に移動するように構成されている。
【００３６】
このため、障子５を閉じた状態で、戸先側から吊り元側に延びた戸先リンク２２と、吊り元側から戸先側に延びた連結リンク２４とは、上下に重なるよう配置されるので、戸先リンク２２と連結リンク２４とは、回動する際に互いに干渉しないように曲げ加工が施されている。具体的には、戸先リンク２２の他方の端部２２ｂ側、すなわち固定プレート１８と連結されている側の部位は、戸先側スライダー１６に連結されている一方の端部２２ａ側の部位より高くなるように段差が設けられている。連結リンク２４は、戸先リンク２２に連結されている他方の端部２４ｂ側の部位が、吊り元側スライダー１４と連結されている一方の端部２４ａ側の部位より低くなるように段差が設けられている。このため、戸先リンク２２と連結リンク２４とが重なる部分では、連結リンク２４が戸先リンク２２の下に配置されている。
【００３７】
戸先側ストッパー２６は、戸先側から吊り元側にスライドする戸先側スライダー１６のスライドを規制するための直方体状の部材であり、スライドレール１２内に収容されて、見付け方向におけるほぼ中央にて戸先側スライダー１６が停止するようにスライドレール１２に固定されている。戸先側スライダー１６は戸先側ストッパー２６の戸先側の端部２６ａに当接されて停止する。
【００３８】
吊り元側ストッパー２８は、戸先側ストッパー２６より吊り元側に固定され、吊り元側から戸先側にスライドする吊り元側スライダー１４を所定の位置として、回動する障子５を隣接する障子５と干渉しない所定の位置にて停止させるための部材である。吊り元側ストッパー２８は、スライドレール１２に収容される下層部２８ａと、スライドレール１２の上方に配置される上層部２８ｃとを備え、上層部２８ｃには上方に突出して保持部材３０の突起３０ｃと係合する規制係合部２８ｄが設けられている。吊り元側ストッパー２８は、障子５を閉じた状態で連結リンク２４の下側に位置するため、上層部２８ｃに設けられた規制係合部２８ｄの上端が連結リンク２４より低い位置に設けられている。吊り元側スライダー１４は吊り元側ストッパー２８における下層部２８ａの吊り元側の端部２８ｂに当接されて停止する。ここで、吊り元側ストッパー２８の吊り元側の端部２８ｂが、吊り元側スライダーの戸先スライダー側へのスライドを所定の位置にて規制する規制部の一例である。
【００３９】
保持部材３０は、吊り元側スライダー１４上に配置され、回動中心となる吊り元側スライダー１４との連結部から水平方向に延出された延出部３０ａを有している。延出部３０ａの先端側には上方に突出された突出部３０ｂと、下方に突出された突起３０ｃとが設けられている。保持部材３０は、吊り元側スライダー１４との間にねじりバネ３４が介在されており、上方から見た際に延出部３０ａが反時計方向に回動するようにねじりバネ３４により付勢されている。ねじりバネ３４に付勢された保持部材３０は、突出部３０ｂが連結リンク２４に押圧されるように付勢されている。このため、障子５が閉められた状態にて、突出部３０ｂが設けられていない部位が連結リンク２４と吊り元側スライダー１４との間に配置され、突出部３０ｂは連結リンク２４の側方に当接されている。このとき、突出部３０ｂの下に設けられ下方に突出された突起３０ｃも連結リンク２４と上下に重ならない位置に配置されている。そして、ねじりバネ３４に付勢されている保持部材３０は、連結リンク２４の回動に伴って連結リンク２４側に押圧された状態を維持しつつ回動する。
【００４０】
戸先係合部材３２は、スライドレール１２の戸先側の端部１２ｆに固定され、スライドレール１２より上方に突出された係合片３２ａを有している。この係合片３２ａには、障子５を閉じた状態にて、戸先リンク２２の切欠部２２ｃに入り込み、吊り元側スライダー１４が吊り元側ストッパー２８の端部２８ｂに当接されて停止した際に切欠部２２ｃから抜け出るように構成されている。ここで、切欠部２２ｃを有する戸先リンク２２と、戸先係合部材３２の係合片３２ａとが、障子５が閉じた位置にて戸先側スライダー１６と係合し、吊り元側スライダー１４が所定の位置としての、吊り元側ストッパー２８と当接する位置にスライドした際に係合が解除される係合機構の一例である。
【００４１】
本実施形態の辷り出し窓１は、吊り元リンク２０、戸先リンク２２、連結リンク２４、及び、固定プレート１８が回動自在に連結されたリンク機構１１を介して障子５が設けられることにより、建物の開口を開閉可能に構成されている。
【００４２】
図１に示すように、障子５を閉じた状態では、閉じられた障子５の下框７ａと下枠２との間に、スライドレール１２、吊り元リンク２０、戸先リンク２２、連結リンク２４、及び、固定プレート１８が見付け方向に沿ってほぼ一直線をなすように配置されている。このとき、戸先リンク２２の切欠部２２ｃは係合片３２ａと係合している。そして、障子５を閉じた状態にて、吊り元側スライダー１４と戸先側スライダー１６とは見付け方向において最も離れて配置されている。
【００４３】
操作者が、ハンドル８を室外側に押して障子５を開放し始めると、戸先係合部材３２の係合片３２ａと係合された戸先リンク２２が連結されている戸先側スライダー１６は停止したままで、吊り元側スライダー１４が戸先側にスライドし始める。このとき、吊り元側スライダー１４と連結されている吊り元リンク２０は、戸先側に移動しつつ上方から見て時計方向に回動し始め、吊り元側スライダー１４と連結されている連結リンク２４は、戸先側に移動しつつ上方から見て反時計方向に回動し始める。また、ねじりバネ３４によって連結リンク２４に押圧されている保持部材３０も、連結リンク２４と共に回動し始める。  
一方、停止している戸先側スライダー１６に連結されている戸先リンク２２は、戸先側スライダー１６との連結部を回動中心として、上方から見て時計方向に回動し始め、連結リンク２４と連結された部位側が室外側に移動し始めると共に、戸先係合部材３２の係合片３２ａが切欠部２２ｃの開口２２ｄ側（図２）に相対的に移動されていく。
【００４４】
障子５を開き続けていくと、図４に示すように、障子５が約１０．５度開かれた状態で吊り元側の縦框７ｂが、隣接する障子５に最も接近した状態となり、その後は、互いの間隔を広げつつ障子５が開かれていく。  
障子５を開き続けていくと、図２に示す状態となり、戸先側にスライドしていた吊り元側スライダー１４が吊り元側ストッパー２８に当接されてスライドが規制される。このとき、吊り元側スライダー１４のスライドとともに回動していた保持部材３０の突起３０ｃが、吊り元側ストッパー２８の規制係合部２８ｄより戸先側にて係合する。  
一方、吊り元側スライダー１４が吊り元側ストッパー２８に当接されると、回動した戸先リンク２２の切欠部２２ｃから係合片３２ａが抜け出て、戸先側スライダー１６のスライドに対する規制が解除される。
【００４５】
障子５をさらに開き続けると、保持部材３０の突起３０ｃが、吊り元側ストッパー２８の規制係合部２８ｄに係合されてスライドが規制された吊り元側スライダー１４は停止したままで、切欠部２２ｃと係合片３２ａとの係合が解除された戸先リンク２２が連結された戸先側スライダー１６が吊り元側にスライドし始める。ここで、吊り元側スライダー１４の吊り元側へのスライドを規制して停止した状態に保持させる、保持部材３０の突起３０ｃと吊り元側ストッパー２８の規制係合部２８ｄとが係合する機構が保持機構の一例である。  
このとき、吊り元側ストッパー２８の規制係合部２８ｄと保持部材３０の突起３０ｃとが係合して回動できない保持部材３０と離れて連結リンク２４は回動し続ける。  
そして、図５に示すように、障子５が見付け方向に対してほぼ９０度開いた状態で、戸先側スライダー１６が戸先側ストッパー２６に当接されて、戸先側スライダー１６の吊り元側へのスライドが規制され、障子５が最も開いた状態となる。
【００４６】
次に、障子５を閉める際には、まず、操作者が、ハンドル８を室内側に引いて障子５を閉め始めると、保持部材３０の突起３０ｃが、吊り元側ストッパー２８の規制係合部２８ｄに係合されてスライドが規制された吊り元側スライダー１４は停止したままで、戸先側スライダー１６が戸先側にスライドし始める。このとき、戸先リンク２２は、戸先側に移動しつつ上方から見て反時計方向に回動し始め、切欠部２２ｃの開口２２ｄ側が戸先係合部材３２の係合片３２ａに近づいていく。  
一方、停止している吊り元側スライダー１４に連結されている連結リンク２４は、上方から見て時計方向に、また、吊り元リンク２０は反時計方向に回動し始める。
【００４７】
障子５を閉め続けていくと、戸先側スライダー１６が戸先係合部材３２に当接されてスライドが規制される。その後も障子５を閉め続けていくと、切欠部２２ｃの開口２２ｄ側から戸先係合部材３２の係合片３２ａが入り込んで係合することにより、戸先側スライダー１６のスライドが規制されるとともに、保持部材３０の突起３０ｃと吊り元側ストッパー２８の規制係合部２８ｄとの係合が解除されて吊り元側スライダー１４の吊り元側へのスライドが許容される。  
そして、障子５が閉じられると、図１に示すように、スライドレール１２、吊り元リンク２０、戸先リンク２２、連結リンク２４、及び、固定プレート１８が見付け方向に沿ってほぼ一直線をなすように配置されている。
【００４８】
本実施形態の辷り出し窓１によれば、障子５が開き始める際には、戸先側スライダー１６は停止した状態にて、障子５の吊り元側に吊り元リンク２０を介して連結された吊り元側スライダー１４がスライドし、障子５の開き終わりには、戸先側スライダー１６がスライドして吊り元側スライダー１４が停止しているので、障子５を開く際には吊り元側スライダー１４と戸先側スライダー１６とのいずれもがスライドする。このため、障子５の吊り元側に吊り元リンク２０を介して回動自在に連結された吊り元側スライダー１４のみがスライドして障子５が開かれる辷り出し窓より吊り元側スライダー１４のスライド量が小さくなるので、有効開口をより大きく確保することが可能である。
【００４９】
また、障子５の吊り元側が吊り元リンク２０の他方の端部２０ｂに連結されているので、吊り元リンク２０が連結されている吊り元側スライダー１４がスライドすることにより障子５の吊り元側の位置を移動させることが可能である。また、障子５に固定された固定プレート１８には吊り元側スライダー１４と連結された吊り元リンク２０より戸先側で戸先リンク２２が連結されているので、戸先リンク２２が連結されている戸先側スライダー１６がスライドすることにより障子５の戸先側を見込み方向に移動させることが可能である。
【００５０】
また、開閉機構１０は、吊り元側スライダー１４の戸先側へのスライドを、開かれた障子５が隣接する障子５と干渉しない所定の位置にて規制する保持部材３０を有しているので、吊り元側スライダー１４が所定の位置より戸先側へスライドすることを規制して、隣接する障子５との干渉を防止しつつ有効開口を大きく確保することが可能である。
【００５１】
また、障子５が閉じた位置にて戸先側スライダー１６と係合し、吊り元側スライダー１４が、開かれた障子５が隣接する障子５と干渉しない所定の位置にスライドした際に係合が解除される係合片３２ａを有しているので、障子５が閉じた状態では戸先側スライダー１６がスライドしないように保持し、吊り元側スライダー１４が所定の位置にスライドした時に係合が解除されて、その後戸先側スライダー１６をスライドさせることが可能である。このため、障子５の開き始めに吊り元側スライダー１４のみをスライドさせることが可能であり、吊り元側スライダー１４が、開かれた障子５が隣接する障子５と干渉しない所定の位置に移動した後に戸先側スライダー１６をスライドさせることが可能である。
【００５２】
また、開かれた障子５が隣接する障子５と干渉しない所定の位置に移動した吊り元側スライダー１４と戸先側スライダー１６とが近接する方向にスライドする際には吊り元側スライダー１４は保持部材３０の突起３０ｃと吊り元側ストッパー２８の規制係合部２８ｄにより、開かれた障子５が隣接する障子５と干渉しない所定の位置に保持されるので、吊り元側スライダー１４が、開かれた障子５が隣接する障子５と干渉しない所定の位置に移動した後には、確実に戸先側スライダー１６だけをスライドさせることが可能である。このため、戸先側スライダー１６がスライドすることにより、有効開口が狭められることを防止することが可能である。
【００５３】
また、障子５が閉まる動作と連動して保持部材３０の突起３０ｃと吊り元側ストッパー２８の規制係合部２８ｄによる吊り元側スライダー１４への規制が解除されるので、障子５を滑らかに閉じることが可能である。
【００５４】
また、吊り元側スライダー１４の戸先側へのスライドが規制される所定の位置を、障子５を開く際に、当該障子５が隣接する障子５と干渉しない位置としたので、障子５の開き始めには、障子５の吊り元側に吊り元リンク２０を介して回動自在に連結された吊り元側スライダー１４が、障子５が隣接する障子５と干渉しない位置に移動し、その後吊り元側スライダー１４が停止した状態で戸先側スライダー１６がスライドして障子５が開かれるので、開かれる障子５が隣接する障子５と干渉することをより確実に防止することが可能である。
【００５５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５６】
１  辷り出し窓、５  障子、１０  開閉機構、リンク機構、１２  スライドレール、
１４  吊り元側スライダー、１６  戸先側スライダー、２０  吊り元リンク、
２２  戸先リンク、２２ｃ  切欠部、２４  連結リンク、２６  戸先側ストッパー、
２８  吊り元側ストッパー、２８ｂ  端部、２８ｄ  規制係合部、３０  保持部材、
３０ｃ  突起、３２  戸先係合部材、３２ａ  係合片
【図１】
2010209587.tif 000003
【図２】
2010209587.tif 000004
【図３】
2010209587.tif 000005
【図４】
2010209587.tif 000006
【図５】
2010209587.tif 000007